(57)【要約】【課題】  集合住宅の部外者である来訪者や配達業者に対して一定の条件で集合住宅内への立ち入りを許可し、入居者のエレベータ利用のセキュリティを確保することにある。【解決手段】  集合住宅の共用部玄関に設置される玄関ドア２と、玄関ホールに設置されたエレベータ１、玄関インターホン３と、居室毎に設置される居室インターホン４と、居室インターホンからの解錠情報と玄関インターホンに隣接して設置されたカードリーダからのカード情報を取込むインターフェース５ａ、玄関ドアの解錠とエレベータの呼び制御を行う制御手段５ｃを備える制御装置５を有するエレベータセキュリティ運転システムにおいて、エレベータの利用許可時間を設定し、保持するメモリ５ｆを設け、居室インターホンからの解錠情報またはカードリーダからのカード情報を取込んだ時間を利用許可時間と照合手段５ｂによって照合し、利用許可時間内に限り、エレベータの利用を可能とする。【選択図】  図１
2005206357.tif 000002
【特許請求の範囲】
【請求項１】
集合住宅の共用部玄関に設置される玄関ドアと、前記玄関ホールに設置されたエレベータと、前記共用部玄関に設置された玄関インターホンと、前記集合住宅の居室毎に設置される居室インターホンと、前記居室インターホンからの解錠情報と前記玄関インターホンに隣接して設置された認証装置からの認証情報を取込み、前記玄関ドアの解錠と前記エレベータの呼び制御を行う制御装置を有するエレベータセキュリティ運転システムにおいて、
前記エレベータの利用許可時間を設定し、保持するメモリを設け、前記居室インターホンからの解錠情報または前記認証装置からの認証情報を取込んだ時間を前記設定した利用許可時間と照合し、前記利用許可時間内に限り、前記エレベータの利用を可能とすることを特徴とするエレベータセキュリティ運転システム。
【請求項２】
請求項１において、前記認証情報は、集合住宅に出入りする業者に対して配布した業者専用カードによる情報であることを特徴とするエレベータセキュリティ運転システム。
【請求項３】
請求項２において、前記エレベータの利用許可時間を保持するメモリには、前記業者毎に配布した業者専用カードに対応して前記利用許可時間を設定することを特徴とするエレベータセキュリティ運転システム。
【請求項４】
請求項１において、前記居室インターホンからの解錠情報は、来訪者が前記玄関インターホンから前記居室インターホンに来訪を連絡したとき、前記居室インターホンから発信される前記玄関ドアを解錠し、前記居室階へのみ前記エレベータの利用を許可した情報であることを特徴とするエレベータセキュリティ運転システム。
【発明の詳細な説明】
【技術分野】
【０００１】
本発明は、エレベータセキュリティ運転システムに係り、特に、集合住宅の共用部に設置された玄関ドアと連携したエレベータセキュリティに関する。
【背景技術】
【０００２】
従来、この種技術として、建物にエレベータが設置され、建物の共用部にはオートロック式玄関ドアが設置され、更に、居住者の部屋にはオートロック式玄関ドアの施錠を解くための解錠装置が設置されたセキュリティシステムおいて、居住者に訪問客があった場合、訪問客がインターホンを利用して居住者に連絡すると、居住者は自室の解錠装置を操作する。この解錠操作により玄関ドアが開き、これに連動してエレベータのホール呼びを登録し、また同時に、居住者の部屋がある階床が記憶される。この結果、居住者に訪問客があった場合、居住者が玄関ドアのロックを解除することにより、訪問客を居住者の部屋のある階床まで案内するセキュリティシステムが知られている（例えば、特許文献１参照）。
【０００３】
【特許文献１】特開平１０−９５５７５号公報
【発明の開示】
【発明が解決しようとする課題】
【０００４】
しかし、毎日決まった時間に配達を行う新聞配達業者のような業者に対して上記従来のセキュリティシステムを利用すると、居住者は毎日その決まった時間に玄関ドアの解錠操作を行わなければならないため、煩わしく、また、業者にとってもその度に連絡しなければならないため、同様に煩わしいことであった。そして、居住者が留守であるときには、配達を行うことができない、という不便もあった。
また、従来技術では、夜間等に入居者以外の来訪者の入居を防止することができず、セキュリティを確保することができなかった。
本発明の課題は、集合住宅の部外者である来訪者や配達業者に対して一定の条件で集合住宅内への立ち入りを許可し、入居者のエレベータ利用のセキュリティを確保することにある。
【課題を解決するための手段】
【０００５】
上記課題を解決するため、集合住宅の共用部玄関に設置される玄関ドアと、玄関ホールに設置されたエレベータと、共用部玄関に設置された玄関インターホンと、集合住宅の居室毎に設置される居室インターホンと、居室インターホンからの解錠情報と玄関インターホンに隣接して設置された認証装置からの認証情報を取込み、玄関ドアの解錠とエレベータの呼び制御を行う制御装置を有するエレベータセキュリティ運転システムにおいて、エレベータの利用許可時間を設定し、保持するメモリを設け、居室インターホンからの解錠情報または認証装置からの認証情報を取込んだ時間を設定した利用許可時間と照合し、利用許可時間内に限り、エレベータの利用を可能とする。
ここで、認証情報は、例えば、集合住宅に出入りする業者に対して配布した業者専用カードによる情報である。
ここで、エレベータの利用許可時間を保持するメモリには、業者毎に配布した業者専用カードに対応して利用許可時間を設定する。
ここで、居室インターホンからの解錠情報は、来訪者が玄関インターホンから居室インターホンに来訪を連絡したとき、居室インターホンから発信される玄関ドアを解錠し、居室階へのみエレベータの利用を許可した情報である。
なお、認証装置としては、カードリーダの他に指紋等の生体認証など各種の装置を用いることができる。
【発明の効果】
【０００６】
本発明によれば、エレベータを利用できる利用（来訪）許可時間に制限を設けることにより、定期的に出入りする配達業者に余計な利用許可時間を与えないこととになり、また、例えば夜間等に来訪する来訪者の入居を防止することにより、信頼性の高いセキュリティサービスを提供することができる。
また、来訪者の入居に際し、入居者の居室階へのみエレベータの利用を許可することにより、信頼性の高いセキュリティを確保することができる。
また、業者にとっては、エレベータを利用できる利用許可時間内であれば、行先階を任意に指定することができるので、業務を迅速かつ効率的に成し遂げることができる。
【発明を実施するための最良の形態】
【０００７】
以下、本発明を実施するための最良の形態を図面を用いて説明する。
【実施例１】
【０００８】
図１は、本発明によるエレベータセキュリティ運転システムの実施例１を示すブロック図である。
図１において、本実施例１のエレベータセキュリティ運転システムは、集合住宅の建物の玄関ホールに設置されるエレベータ１、建物の共用部玄関に設置されるオートロック式玄関ドア２、入居者の部屋番号を呼び出し、共用部玄関に設置される玄関インターホン３、居室毎に設置される居室インターホン４、制御装置５、玄関ドア２のロックを解錠する解錠ボタン６、玄関インターホン３に隣接して設置されるカードリーダ（認証装置）７、行先階指定ボタン９からなる。
また、制御装置５は、インターフェース５ａ、照合手段５ｂ、制御手段５ｃ、階床データメモリ５ｄ、カードデータメモリ５ｅ、利用許可時間メモリ５ｆを有する。
【０００９】
インターフェース５ａは、入室者である来訪者の来訪時に、居室インターホン４で操作された解錠ボタン６の解錠情報Ａを取り込み、また、共用部玄関に設置されたカードリーダ（認証装置）７で入室者である入居者・業者のＩＣカードから読み込んだカード（認証）情報Ｂを取り込む。そして、インターフェース５ａは、解錠情報Ａとカード（認証）情報Ｂを照合手段５ｂが認識できるフォーマットに変換して伝達する。
ここで、入居者には、カードデータを付与したＩＣカードが配布され、また、集合住宅に出入りの業者には、業者専用のＩＣカードを配布する。
照合手段５ｂは、インターフェース５ａからの情報を元に、入室者が入居者・業者・来訪者のいずれであるかを判断する。居室インターホン４で解錠操作を行った解錠情報Ａの場合は、入室者は来訪者であると判断し、また、入居者・業者のＩＣカードによるカード（認証）情報Ｂの場合は、入室者は入居者・業者であると判断する。そして、入室者である来訪者・入居者・業者の情報を元に、階床データメモリ５ｄ、カードデータメモリ５ｅ、利用許可時間メモリ５ｆとの照合を行う。
ここで、階床データメモリ５ｄ、カードデータメモリ５ｅ、利用許可時間メモリ５ｆについて、それぞれの内容を図３に示す。カードデータメモリ５ｅはそれぞれの入居者に付与されるデータを格納し、階床データメモリ５ｄは建物の階床Ｎｏ．を格納し、利用（来訪）許可時間メモリ５ｆは利用（来訪）許可時間を指定して格納する。図３の利用（来訪）許可時間メモリ５ｆには、利用許可時間制限無しのケースと、午前５時〜午前７時まで利用許可のケースと、午前５時〜午前７時、午後５時〜午後７時まで利用許可のケースを示す。
制御手段５ｃは、照合手段５ｂからの情報を得て玄関ドア２の解錠とエレベータ１の呼び制御を行う。
【００１０】
入室者が来訪者であるとき、来訪者が玄関インターホン３から入居者の居室インターホン４に連絡し、入居者が居室インターホン４から解錠操作を行う解錠情報Ａがインターフェース５ａに伝達したとき、照合手段５ｂにおいて、この解錠操作を行った階と階床データ５ｄとを照合し、また、指定されている来訪許可時間５ｆと来訪者の来訪時間を照合する。この場合、指定されている来訪許可時間５ｆに制限を設けることができる。照合手段５ｂで照合した結果、階床データが有効（一致）であり、来訪許可時間内であれば、制御手段５ｃは、玄関ドア２を解錠し、エレベータ１の玄関階への呼びを行い、来訪者に対して、居室インターホン４から解錠操作を行った入居者の居室階に限定して行先階を指定する。
ここで、指定されている来訪許可時間５ｆに制限、例えば６．００−２１．００（午前６時〜午後９時）を設けると、夜間および夜中の来訪者の入居を防止することができ、高いセキュリティを確保することができる。また、来訪者の入居に際し、入居者の居室階へのみエレベータの利用を許可とすることにより、信頼性の高いセキュリティを確保することができる。
【００１１】
入室者が業者であるとき、業者のＩＣカードをカードリーダ７に読み込ませ、業者のカード情報Ｂとしてインターフェース５ａに伝達されたとき、照合手段５ｂにおいて、この業者のカード情報Ｂとカードデータ５ｅとを照合し、また、指定されている利用許可時間５ｆと業者の入室時間を照合する。この場合、エレベータを利用できる利用許可時間５ｆに制限を設ける。照合手段５ｂで照合した結果、カードデータが有効（一致）であり、利用許可時間内であれば、制御手段５ｃは、玄関ドア２を解錠し、エレベータ１の玄関階への呼びを行い、業者に対して、行先階指定ボタン９による行先階指定を許可する。
ここで、制御手段５ｃは、業者の場合、エレベータを利用できる利用許可時間の制限内であれば、エレベータ１のかご内に設けた行先階指定ボタン（図示せず）により、行先階を任意に指定することを許可する。これは、例えば新聞配達業者のように、複数階に渡って新聞配達する場合、これに便利性を付加するためである。一方、エレベータを利用できる利用許可時間の制限を超えたときは、行先階の指定は不可であり、玄関階への下り運転のみの指定を許可する。
本実施例１は、エレベータを利用できる利用許可時間５ｆに制限を設けることにより、業者に余計な利用許可時間を与えないこととになり、信頼性の高いセキュリティサービスを提供することができる。また、業者にとっては、エレベータを利用できる利用許可時間内であれば、行先階を任意に指定することができるので、業務を迅速かつ効率的に成し遂げることができる。
【００１２】
入室者が入居者であるとき、入居者のＩＣカードをカードリーダ７に読み込ませ、入居者のカード情報Ｂとしてインターフェース５ａに伝達されたとき、照合手段５ｂにおいて、この入居者のカード情報Ｂとカードデータ５ｅとを照合する。照合手段５ｂで照合した結果、カードデータが有効（一致）であれば、制御手段５ｃは、玄関ドア２を解錠し、エレベータ１の玄関階への呼びを行い、入居者に対して、行先階指定ボタン９による行先階指定を許可する。
【００１３】
図２は、本実施例１の作用を総合的に示すフローチャートである。
来訪者が来訪し、玄関インターホン３を用いて入居者の居室を呼び出すと、入居者は居室インターホン４を操作して解錠情報Ａをインターフェース５ａに伝達する。また、入居者・業者が来てカードリーダ７にＩＣカードを読み込ませると、入居者・業者のＩＣカードを読み込んだカード情報Ｂがインターフェース５ａに伝達される。解錠情報Ａまたはカード情報Ｂがインターフェース５ａに伝達されると、インターフェース５ａに解錠イベントが発生する（ステップＳ１）。更に、インターフェース５ａでは、入居者のＩＣカード（入居者のカード情報Ｂ）か、入居者カード以外（居室インターホン４の解錠情報Ａ、業者のカード情報Ｂ）かのカード種別の判定処理を行う（ステップＳ２）。
【００１４】
カード種別の判定の結果、入居者カード以外の場合は、イベント種類の判別で居室インターホン４からの解錠か、業者のＩＣカードからの解錠かを判定する（ステップＳ３）。
居室インターホン４の解錠と判断した場合は、解錠操作を行った階床情報を照合手段５ｂに伝達する。照合手段５ｂでは、この解錠操作を行った階床情報と階床データ５ｄを照合し、来訪者の来訪許可時間５ｆをチェックして来訪許可時間内であれば、制御手段５ｃにサービス対象が来訪者であることと階床情報を伝達する（ステップＳ４）。制御手段５ｃでは、玄関ドア２を解錠し（ステップＳ９）、エレベータ１を玄関階に呼びを行い（ステップＳ１０）、来訪者に対して、居室インターホン４から解錠操作を行った階の行先階指定ボタン９による指定を許可する。ここで、来訪者の来訪許可時間外であれば（ステップＳ４）、制御手段５ｃは、玄関ドア２を施錠したまま解錠せず（ステップＳ６）、エレベータ１を玄関階への呼びを行わない（ステップＳ７）。
【００１５】
また、業者と判断した場合は、業者のカード情報を照合手段５ｂに伝達する。照合手段５ｂでは、この業者のカード情報とカードデータ５ｅを照合し、業者の利用許可時間５ｆをチェックして利用許可時間内であれば、制御手段５ｃにサービス対象が業者であることを伝達する（ステップＳ５）。制御手段５ｃでは、玄関ドア２を解錠し（ステップＳ９）、エレベータ１を玄関階に呼びを行い（ステップＳ１０）、行先階指定ボタン９による業者の行先階指定を許可する。ここで、業者の利用許可時間外であれば（ステップＳ５）、制御手段５ｃは、玄関ドア２を施錠したまま解錠せず（ステップＳ６）、エレベータ１を玄関階の呼びを行わない（ステップＳ７）。
【００１６】
カード種別の判定の結果、入居者カードの場合は、入居者のカード情報を照合手段５ｂに伝達する。照合手段５ｂでは、この入居者のカード情報とカードデータ５ｅを照合し、制御手段５ｃにサービス対象が入居者であることを伝達する（ステップＳ８）。制御手段５ｃでは、玄関ドア２を解錠し（ステップＳ９）、エレベータ１を玄関階の呼びを行い（ステップＳ１０）、行先階指定ボタン９による入居者の行先階指定を許可する。
【産業上の利用可能性】
【００１７】
本発明は、業務を迅速かつ効率的に成し遂げ、入居者にとって信頼性の高いセキュリティサービスを提供する。
【図面の簡単な説明】
【００１８】
【図１】本発明によるエレベータセキュリティ運転システムの実施例１を示すブロック図
【図２】本発明の実施例１の作用を総合的に示すフローチャート
【図３】本発明の階床データメモリ、カードデータメモリ、利用（来訪）許可時間メモリの内容の説明図
【符号の説明】
【００１９】
１…エレベータ、２…オートロック式玄関ドア、３…玄関インターホン、４…居室インターホン、５…制御装置、６…解錠ボタン、７…カードリーダ（認証装置）、９…行先階指定ボタン、５ａ…インターフェース、５ｂ…照合手段、５ｃ…制御手段、５ｄ…階床データメモリ、５ｅ…カードデータメモリ、５ｆ…利用許可時間メモリ
【図１】
2005206357.tif 000003
【図２】
2005206357.tif 000004
【図３】
2005206357.tif 000005